(57)【特許請求の範囲】
【請求項１】
調整器の高圧側に設けられたノズル弁継ぎ手部３に接続されたニップル継ぎ手部４の内部に摺動閉塞弁装置８を有する張力作動式ガス放出防止装置２を内蔵した圧力調整器１であって、張力作動式ガス放出防止装置２は、ニップル継ぎ手部４のニップルロッド６の外周に回転自在に設けられたガス容器側バルブとの接続用雄ネジ７と、ニップルロッドの中空部に摺動自在に嵌入された摺動閉塞弁装置８と、ニップルロッドの後端部に螺着されたストッパ部材５とを有し、ストッパ部材の内鍔５ａに明けられた摺動貫通孔５ｂから突出した摺動閉塞弁装置の摺動円筒部８ｄの後端部に設けられた接続用雄ネジ８ｆをノズル弁継ぎ手部３の内ネジ３ｄに接続したことを特徴とするガス放出防止型圧力調整器。
【請求項２】
ニップル継ぎ手部４のニップルロッド６の中空部の内周面には、ニップルロッドの後端部に向けて径が小さくなるようなテーパ溝６ｊが設けられており、このテーパ溝と対向する摺動閉塞弁装置の摺動閉塞弁の外周面には、Ｃリング１２が嵌入されたリング溝８ｈが設けられ、Ｃリングの弾性力とテーパ溝の傾斜角との組み合わせにより所定の作動張力を設定することを特徴とする請求項１記載のガス放出防止型圧力調整器。
【請求項３】
ノズル弁継ぎ手部３のニップル継ぎ手部４との接続ネジ部３ｄ、８ｆの外周全面にガス放出防止装置の作動表示用着色部３ｆが設けられており、摺動閉塞弁装置８が作動した場合は、ストッパ部材５に設けられた筒状のカバー部５ｄが作動伸張したニップルロッド６と共に移動することにより、カバーで覆い隠されていた作動表示用着色部３ｆが現れることを特徴とする請求項１又は２記載のガス放出防止型圧力調整器。
【発明の詳細な説明】
【０００１】
【発明の属する技術分野】
この発明は、ガス容器の転倒や家屋の倒壊、落雪荷重などによって容器に接続したホ−スに一定以上の張力が作用したとき、自動的にガスの放出を阻止する張力作動式のガス放出防止装置に関するものである。
【０００２】
【従来の技術】
従来のガス放出防止装置は、転倒式のガス放出防止器や過流出防止弁が直接ガス容器に取り付けられ、その先に高圧ホ−スや減圧調整器を取り付ける構造になっているため、容器の交換が不便で製品の単価も高いものであった。特に転倒式のガス放出防止器では、防止器本体に鎖やワイヤ−の一端が取り付けられ、その他端が家屋等の固定構造物に取り付けられており、容器の転倒の際にその鎖やワイヤ−が引っ張られる様になっているため、それらが邪魔になって容器の交換が困難であった。また、場合によっては鎖やワイヤ−を固定するフックが外れ、防止器が作動しないこともあった。
【０００３】
過流出防止弁を容器のバルブ内に組み込んだ例もあるが、その場合はガス充填のための回収容器や保存容器など、全ての容器に組み込む必要が生じ、容器交換の都度、その置き方で容器が傾いたり、また容器交換後に容器の弁を開く際の瞬間的なガスの流れによって誤作動するケ−スが非常に多かった。
【０００４】
【発明が解決しようとする課題】
この発明は、ガス容器の転倒や家屋の倒壊、落雪荷重などによってガス容器に接続された圧力調整器と、家屋に設置されたガス配管との間に接続したホ−スに一定以上の張力が作用したとき、流体の流出を自動的に阻止するための有効なガス放出防止装置を内蔵した圧力調整器の提供を目的とするものである。
【０００５】
【課題を解決するための手段】
この発明は、圧力調整器の高圧側ノズル継ぎ手部に接続したニップル継ぎ手の内部に摺動閉塞弁装置を有する張力作動式ガス放出防止装置内蔵した圧力調整器であって、そのニップル継ぎ手側を高圧ガス容器のバルブに直接接続することにより、ホ−スに異常な張力が作用した場合、直ちに調整器の継ぎ手部内部の摺動部が摺動伸長して摺動閉塞弁装置が働き、上流側からのガスの放出を阻止すると共に、伸長した継ぎ手部の表面に設けられている表示用着色部によってガス放出防止機能が作動中であることを表示し、安全処置を施した後、表示部が見えなくなるまで調整器の接続継ぎ手部を押し込むことにより、容易に元の状態に復帰させることができるようにしたものである。
【０００６】
また、摺動閉塞弁装置には作動張力調整用手段を設け、使用状況に応じ作動張力を設定することが出来るようになっている。したがって、作動が確実で、保守点検作業にも優れたガス放出防止装置を得ることができるのである。
【０００７】
【発明の実施形態】
図８は、この発明の一実施形態を示す説明作動図である。
通常は実線で示すように、圧力調整器の上流側のガスボンベ等の容器（高圧容器）Ｇに設けられたバルブＶに圧力調整器本体部１のニップル継ぎ手部が直接接続されており、圧力調整器の下流側には画瀬ホースが接続され、ガスメータＭを経て図示しない周知の燃焼器（低圧燃焼器具）にガスを供給するようになっている。
【０００８】
【作用】
地震その他の原因によりガス容器Ｇが破線で示すように傾いたり、落雪やその他の落下物がホ−スに当たったりしてガスホ−スＨに所定の値以上の張力Ｐが作用した場合、図７で後述するように、圧力調整器本体部１とストッパ部材５のカバ−部５ｄとの間隔がＲだけ拡がり、ガス放出防止装置が働いてガス容器ＧのバルブＶから放出されるガスは完全に遮断され、今までカバ−部に覆われていた作動表示用着色部３ｆが現れる。
【０００９】
なお、前述した原因によりガス容器が傾いた場合は、図のように圧力調整器の下流側に接続されたホ−スの他端を支点として容器バルブ、圧力調整器、ホ−ス部分が直線状に並ぶために常に一定の張力が防止器作動部に作用する事になる。
【００１０】
【実施例】
以下、この発明の圧力調整器の具体的な構成を実施例によって説明する。図１はこの発明の圧力調整器の主要部組み立て断面図である。１はこの発明のガス放出防止型調整器の本体部を示しており、この圧力調整器の本体部は周知のレバ−式調整器として構成されており、通常は単独でガスボンベ等の高圧ガス供給源とガス燃焼器具の間に接続されて安定したガス圧を供給するものであるから、その説明は省略する。３はこの調整器の高圧側に設けられているノズル継ぎ手部で、２は張力作動式ガス放出防止装置で、ニップル継ぎ手部４と、ストッパ部材５と、摺動閉塞弁装置８を有している。
【００１１】
図２はノズル弁継ぎ手部の断面図である。ノズル弁継ぎ手３は、ガス流通孔３ｅの下流側端部にノズル弁座３ａを有しており、調整器本体部１の弁棒１ａの先端に設けられた弁ゴム１ｂに当接し、弁棒１ａの移動によりガスの流入を制御する。３ｂは接続ネジで、調整器１の上流側に接続されている。３ｃは上流側に設けられた接続ナット部で、内ネジ３ｄが形成されており、ナット部の外周面は多角形３ｇを呈し、作動表示用の着色部３ｆが全周にわたって設けられている。この作動用の着色部３ｆは、必要により蛍光塗料を使用することが出来る。
【００１２】
図３はストッパ部材の説明用図で、図３（ａ）は断面図、図３（ｂ）は右側面図、図３（ｃ）はＸ−Ｘ断面図である。このストッパ部材５は、内鍔５ａと、内鍔５ａに明けられた摺動貫通孔５ｂと、内ネジ５ｃと、多角形の内孔を有する筒状のカバ−部５ｄを有している。カバ−部５ｄは、筒部の断面形状がノズル継ぎ手部３の接続ナット部の外形と同一の多角形の形状３ｇを有し、ナット部に摺動自在で、且つ回動不能に嵌合するように作製され、内ネジ５ｃは後述するニップルロッド６の接続用雄ネジ６ｈと螺着される。内鍔５ａの貫通孔５ｂには後述する摺動閉塞装置の摺動部円筒部８ｄが貫通する。
【００１３】
図４はニップル継ぎ手部の断面図である。４はニップル継ぎ手部で、６はニップルロッド、６ａはガス流通孔６ｂに設けたストレーナ６ｃと外周にパッキング６ｄを嵌め込んだニップル部である。ニップルロッド６の外周には回転自在に設けられた高圧ガス容器ＧのバルブＶと調整器１との接続用の雄ネジ７が嵌入されている。
７ａは雄ネジ７の締め付け用ハンドルである。このハンドル７ａを回すことにより、調整器１と高圧ガス容器Ｇとは、何れ側の接続部も回転させること無くニップル継ぎ手部を介して両者の接続が行われる。  ６ｅは通気孔６ｂに連通するニップル空間室である。６ｆは内向鍔（図６参照）で、リング溝６ｋに嵌入した止めリング１１と共に閉塞用シール部材９を保持すると共に、ニップルロッドの摺動時のガイドを兼用する。
６ｈはニップルロッド６の後端部に設けられた接続用雄ネジで、ストッパ部材５の内ネジ５ｃ（図３参照）に螺着されている。
【００１４】
図５はニップルロッド内に設けられた摺動閉塞弁装置の断面図である。この摺動閉塞弁装置８は、ガス流通孔８ｂを有する円筒状のロッド部材から構成されており、摺動本体部８ａと弁体部８ｇとからなり、弁体部８ｇは摺動本体部８ａのガス流通孔８ｂに直交して設けられた通気孔８ｃを有し、ニップル空間室６ｅ内に突出している。８ｄは摺動円筒部で、ストッパ部材５の貫通孔を貫通して摺動する。８ｅは摺円筒部８ｄより大径のストッパ段部でストッパ部材５の鍔５ａ貫通孔５ｂの径より大きく設定されているので、摺動円筒部８ｄの摺動が停止される。８ｆは摺動円筒部８ｄの後端部に設けられた接続用雄ネジで、ノズル弁継ぎ手部３の内ネジ３ｄに螺着される。８ｈは作動張力設定用Ｃリング用のリング溝である。
【００１５】
図６は図４におけるＡ部部分拡大図で、ニップルロッド６の内面には、摺動閉塞弁装置の作動張力を設定するための、ニップルロッド６の後端部に向けて径が小さくなるようなテーパ溝６ｊと、閉塞用シール部材９の止めリング１１の溝６ｋが形成されている。テーパ溝６ｊの傾斜角とＣリング１２の弾性力の組み合わせにより、所定の作動張力を設定することができる。摺動閉塞弁８には、リング溝８ｈが形成されており、その中に作動張力設定用のＣリング１２が嵌入されている。８ｆはシール部材９の保持空間円筒部で、ニップルロッド６の内向鍔６ｆのガイド孔（図示せず）に貫通摺動する。閉塞用のシール部材９は、複数のＯリング１３とスペーサ１４とを交互に重ねて構成される。Ｏリング１３は弾性を有するシール部材としてゴムやプラスチック等の合成樹脂材料が使用され、Ｏリングの間隔を決めるスペーサの幅は摺動閉塞弁装置８のの通気孔８ｃの直径に略等しく設計されている。
【００１６】
以下に、張力作動式ガス放出防止装置の作動原理を説明する。図７は作動後の状態を示すガス放出防止装置の説明図で、圧力調整器の本体部１とニップル継ぎ手部４との間に設定値以上の張力Ｐが作用した場合、ガス放出防止装置の摺動閉塞弁装置８がニップルロッド６の中を軸方向に摺動し、ストッパ部材５の内鍔５ａが摺動閉塞弁装置の摺動円筒部に形成されたストッパ段部８ｅに当たって停止する。この状態で、圧力調整器本体部１とストッパ部材のカバー部５ｄとの間隔がＲだけ広がり、今までカバー部に覆われていた作動表示用着色部３ｆが現れる。これと同時に、摺動閉塞弁装置の弁体部８ｇが閉塞用シール部材の中に引き込まれ、その通気孔８ｃがＯリング１３ａ、１３ｂによって閉塞されるので上流から供給されるガス流は、ニップル空間室６ｅで完全に遮断される。
【００１７】
なお、作動表示用着色部３ｆは、ストッパ部材５のカバ−部が無い場合は、摺動閉塞弁装置の摺動円筒部８ｄの外周面に設けることができる。この場は摺動円筒部８ｄとストッパ部材５とは、回転不能で摺動できるように作製する事を要する。
【００１８】
【発明の効果】
この発明によれば、圧力調整器をガス容器のバルブに直接着脱自在に接続する事が出来るので、ワイヤ−などが無いために邪魔にならず容器の交換が容易で、対象とする容器全てにガス放出防止器を組み込む必要がない。さらに、この発明ではガス放出防止装置が調整器の部品内部に組み込まれているため、ガス放出防止装置をガス容器に取り付けるネジ部と調整器を取り付けるネジ部とを２重に使用する必要がなく、経済的であるとともに、容器の置き方や容器交換後のバルブを開く際の瞬間的なガスの流れによる誤作動も防止できる効果を有する。
【００１９】
また、圧力調整器の本体部と摺動閉塞弁装置とが回転不能で、且つ摺動可能に接続されているので、ガス容器の傾き方向に関係なく張力変化を敏感に検知でき、必要に応じて作動張力を調整できるので応用範囲が広く、装置が作動したか否かを直ちに判断できると共に、元の状態に復帰させるのも、単に圧力調整器を押して摺動閉塞作動弁装置を作動表示用の着色部が見えなくなる迄押し込めばよいので、取扱作業も簡単である。
【図面の簡単な説明】
【図１】圧力調整器の組み立て主要断面図である。
【図２】ノズル継ぎ手部の断面図である
【図３】ストッパ部材の説明用図である。
【図４】ニップル継ぎ手部部の断面図である
【図５】ニップルロッド内に設けられた摺動閉塞弁装置の断面図である。
【図６】図１におけるＡ部部分拡大断面図である。
【図７】この発明の張力作動式ガス放出防止装置の作動後の状態を示す説明図である。
【図８】この発明の一実施形態を示す説明作動図である
【符号の説明】
１    圧力調整器
２    張力作動式ガス放出防止装置
３    ノズル弁継ぎ手部
３ｄ  ノズル弁継ぎ手部３の内ネジ
３ｆ  作動表示用着色部
４    ニップル継ぎ手部
５    ストッパ部材
５ａ  ストッパ部材の内鍔
５ｂ  摺動貫通孔５ｂ
５ｄ  ストッパ部材５に設けられた筒状のカバー部
６    ニップルロッド
６ｊ  テーパ溝
７    ガス容器側バルブとの接続用雄ネジ
８    摺動閉塞弁装置
８ｄ  摺動円筒部
８ｆ  摺動円筒部８ｄの後端部に設けられた接続用雄ネジ
８ｈ  リング溝
１２  Ｃリング
【図１】
0004032265.tif 000002
【図２】
0004032265.tif 000003
【図３】
0004032265.tif 000004
【図４】
0004032265.tif 000005
【図５】
0004032265.tif 000006
【図６】
0004032265.tif 000007
【図７】
0004032265.tif 000008
【図８】
0004032265.tif 000009